(57)【要約】【課題】表示ボードの使用勝手に優れると共に、意匠面で良好なスクリーン装置を提供する。【解決手段】スクリーン装置１０は、少なくとも一対の支柱１１，１２と、支柱１１，１２に掛け渡される少なくとも１個の横杆１３，１４と、緩やかな波形状に湾曲されて凸面２７と凹面２８とを有し、横杆１３，１４に串刺し状にして貫通支持されるスクリーン本体１５と、を備える。【選択図】図１
2008063904.tif 000002
【特許請求の範囲】
【請求項１】
少なくとも一対の支柱と、
前記支柱に掛け渡される少なくとも１個の横杆と、
緩やかな波形状に湾曲されて凸面と凹面とを有し、前記横杆に串刺し状にして貫通支持されるスクリーン本体と、を備えることを特徴とするスクリーン装置。
【請求項２】
前記スクリーン本体が、前記支柱間での弾性変形に伴い、前記凸面と前記凹面とを有して前記横杆に貫通支持されることを特徴とする請求項１に記載のスクリーン装置。
【請求項３】
前記支柱の床面側端部に、キャスターを着脱自在に取り付けることを特徴とする請求項１又は２に記載のスクリーン装置。
【発明の詳細な説明】
【技術分野】
【０００１】
本発明は、オフィスや展示場等に設置されることで空間を隔離するのに用いられる自立式のスクリーン装置に関する。
【背景技術】
【０００２】
スクリーン装置の一例として、構造体にホワイトボードをヒンジ連結し、ホワイトボードの背後のスクリーンフレームに袋状のシート材を取り付けたものが知られている（例えば、特許文献１参照）。
【０００３】
また、スクリーン装置の他の一例として、支柱と横架材とに、平面視弓形に湾曲させたパネルを取り付けたものが知られている（例えば、特許文献２参照）。
【０００４】
【特許文献１】特開２００４−１７５０４４号公報
【特許文献２】特開平４−１３６３４６号公報
【発明の開示】
【発明が解決しようとする課題】
【０００５】
しかしながら、特許文献１に記載のスクリーン装置では、ホワイトボードを用いる場合に、片面しか使用できないために、反対側でホワイトボードを使用する際に、スクリーン装置を回さなければならない。
【０００６】
また、特許文献２に記載のスクリーン装置では、ホワイトボード等の表示ボードを掛止できる面が支柱側だけであるために、特許文献１と同様に、パネル側で表示ボードを使用する際に、スクリーン装置を回さなければならない。
【０００７】
さらに、特許文献１及び２に記載のスクリーン装置では、スクリーン装置を片方の側から見た場合に、凸面と凸面との連続により圧迫感を感じ、これとは異なり、スクリーン装置をもう一方の側から見た場合に、凹面と凹面との連続により不安定感を感じるために、安心感を感じ取れる形態になっておらず、それによって、違和感を生じて意匠的に良好ではない。
【０００８】
本発明は、このような不都合を解消するためになされたものであり、その目的は、表示ボードの使用勝手に優れると共に、意匠面で良好なスクリーン装置を提供することにある。
【課題を解決するための手段】
【０００９】
本発明の上記目的は、下記の構成により達成される。
（１）  少なくとも一対の支柱と、支柱に掛け渡される少なくとも１個の横杆と、緩やかな波形状に湾曲されて凸面と凹面とを有し、横杆に串刺し状にして貫通支持されるスクリーン本体と、を備えることを特徴とするスクリーン装置。
（２）  スクリーン本体が、支柱間での弾性変形に伴い、凸面と凹面とを有して横杆に貫通支持されることを特徴とする（１）に記載のスクリーン装置。
（３）  支柱の床面側端部に、キャスターを着脱自在に取り付けることを特徴とする（１）又は（２）に記載のスクリーン装置。
【発明の効果】
【００１０】
本発明のスクリーン装置によれば、少なくとも一対の支柱と、支柱に掛け渡される少なくとも１個の横杆と、緩やかな波形状に湾曲されて凸面と凹面とを有し、横杆に串刺し状にして貫通支持されるスクリーン本体と、を備えるため、凸面と凹面とがスクリーン本体のいずれの面にも配置される。これにより、表示ボードを取り付けるに際し、スクリーン本体の凹面に露出している横杆に掛止することで、いずれの面においても表示ボードの取り付けを行うことができる。また、スクリーン装置を片方の面から見た場合に、凸面と凹面とが緩やかな波形状に湾曲されているために、従来のもののように、凸面と凸面との連続や、凹面と凹面との連続に比較して、安心感を与えるものとなり、意匠面で良好にすることができる。従って、表示ボードの使用勝手に優れると共に、意匠面で良好なスクリーン装置を提供することができる。
【００１１】
また、本発明のスクリーン装置によれば、スクリーン本体が、支柱間での弾性変形に伴い、凸面と凹面とを有して横杆に貫通支持されるため、弾性変形に伴いスクリーン本体に蓄積されている弾性復元力によって、スクリーン本体を横杆に強固に取り付けることができる。これにより、別部品であるブラケットを用いたり、ネジ止め等を用いたりすることなく、スマートに固定することができる。
【００１２】
また、本発明のスクリーン装置によれば、支柱の床面側端部に、キャスターを着脱自在に取り付けるため、移動用として用いる場合は、キャスターによって簡単に移動を行うことができる。さらに、固定用として用いる場合は、キャスターをアジャスターや安定板に取り替えることで、床面に載置することができる。
【発明を実施するための最良の形態】
【００１３】
以下、本発明に係るスクリーン装置の一実施形態について、図面を参照して詳細に説明する。
図１は本発明に係るスクリーン装置の一実施形態を説明するための正面図、図２は図１に示すスクリーン装置の左側面図、図３は図１に示すスクリーン装置の平面図、図４は図１に示すスクリーン装置の各部品の組付け関係を説明する分解斜視図、図５は表示ボードを取り付けた状態のスクリーン装置の正面図である。
【００１４】
本実施形態のスクリーン装置１０は、図１に示すように、左側支柱（支柱）１１と右側支柱（支柱）１２と、上側横杆（横杆）１３と下側横杆（横杆）１４と、スクリーン本体１５と、を備え、例えば、高さ寸法が約１５００ｍｍで、幅寸法が約１９００ｍｍの自立式のスクリーン装置である。
【００１５】
左側支柱１１及び右側支柱１２には、床面側端部にキャスター１６が着脱自在にそれぞれ取り付けられており、上端部側と下端部側とに上側横杆１３と下側横杆１４とが組み付けられる。そして、スクリーン本体１５が上側横杆１３と下側横杆１４とに串刺し状にして貫通支持される。
【００１６】
スクリーン本体１５は、可撓性のある、例えば、塩ビ、アクリル、ポリカーボネイト、ＰＰ等の、孔加工を施してもクラックの発生の少ない樹脂部材であって、半透明や淡い色調の着色が施され、予め定められた厚さを有する。
【００１７】
また、スクリーン本体１５は、上端部寄りに、図中の左側支柱１１側から右側支柱１２に向けて、左側支柱１１寄りの第１挿通孔２１と、中央部の第２挿通孔２２と、右側支柱１２寄りの第３挿通孔２３と、が横方向に長い楕円形で直線上にそれぞれ形成され、下端部寄りに、図中の左側支柱１１側から右側支柱１２に向けて、左側支柱１１寄りの第４挿通孔２４と、中央部の第５挿通孔２５と、右側支柱１２寄りの第６挿通孔２６と、が横方向に長い楕円形で直線上にそれぞれ形成される。また、スクリーン本体１５は、各挿通孔２１，２２，２３，２４，２５，２６が上下左右に対称配置される。そして、スクリーン本体１５は、孔加工を施してもクラックの発生の少ない樹脂部材を用いているため、各挿通孔２１，２２，２３，２４，２５，２６が外観面で良好に形成される。
【００１８】
そして、スクリーン本体１５は、中央部の第２挿通孔２２と第５挿通孔２５とを境として、緩やかな波形状に弾性変形されたところで、上側横杆１３が、第１挿通孔２１の裏面から表面に向けて挿通されてから、第２挿通孔２２の表面から裏面に向けて挿通された後に、第３挿通孔２３の裏面から表面に向けて挿通され、同時的に、下側横杆１４が、第４挿通孔２４の裏面から表面に向けて挿通されてから、第５挿通孔２５の表面から裏面に向けて挿通された後に、第６挿通孔２６の裏面から表面に向けて挿通され、上側横杆１３及び下側横杆１４の左端部が左側支柱１１にネジ止めされると共に、上側横杆１３及び下側横杆１４の右端部が右側支柱１２にネジ止めされることで、正面視右側に凸面２７が形成されると共に、左側に凹面２８が形成される。
【００１９】
図２に示すように、左側支柱１１及び右側支柱１２は、丸パイプを略へ字形状に折り曲げることにより形成される２個の支柱パイプ３１，３２を備え、これら支柱パイプ３１，３２の直線部分の間における上端部側と下端部側とに支柱パイプ３１，３２に直交する横杆支持パイプ３３，３４が溶接等の固定手段でもってそれぞれ取り付けられる。また、支柱パイプ３１，３２の上端部には、Ｕ字形状に形成される支柱キャップ３５が取り付けられる。そして、左側支柱１１及び右側支柱１２は、支柱パイプ３１，３２が略へ字形状に形成され、上端部の支柱キャップ３５がＵ字形状に形成されるため、角の部分がなく、全体として柔らかい印象を与えることができる。
【００２０】
図３に示すように、左側支柱１１及び右側支柱１２は、上側横杆１３及び下側横杆１４と直交して延出した下端部に４個のキャスター１６がそれぞれ取り付けられ、これにより、スクリーン本体１５を安定的に支持することができる。また、スクリーン装置１０を固定用として使用する場合は、キャスター１６を不図示のアジャスターや安定板に取り替えて、床面に載置すればよい。
【００２１】
そして、スクリーン本体１５は、上側横杆１３及び下側横杆１４によって串刺し状にして貫通支持されているために、図３中の下方側であるスクリーン本体１５の表面に、左側支柱１１から右側支柱１２に向けて凹面２８と凸面２７とが並べて配置され、図３中の上方側であるスクリーン本体１５の裏面に、左側支柱１１から右側支柱１２に向けて凸面２７と凹面２８とが並べて配置される。このため、上側横杆１３及び下側横杆１４は、スクリーン本体１５の表面において、左側支柱１１側の凹面２８の前方部分で露出されると共に、スクリーン本体１５の裏面において、右側支柱１２側の凹面２８の前方部分で露出される。
【００２２】
次に、図４を参照して、スクリーン装置１０の組立て手順について説明する。
【００２３】
スクリーン本体１５は、弾性変形されていない平板状にして梱包されるために、荷姿が単純形状であり、オフィス等への搬入が簡単に行われる。
【００２４】
設置現場において、スクリーン本体１５が凸面２７及び凹面２８を形成するように弾性変形され、その状態で、上側横杆１３が、第１挿通孔２１の裏面から表面に向けて挿通され、第２挿通孔２２の表面から裏面に向けて挿通され、第３挿通孔２３の裏面から表面に向けて挿通されて、また、下側横杆１４が、第４挿通孔２４の裏面から表面に向けて挿通され、第５挿通孔２５の表面から裏面に向けて挿通され、第６挿通孔２６の裏面から表面に向けて挿通される。このとき、スクリーン本体１５が、弾性変形に伴い蓄積されている弾性復元力によって、上側横杆１３と下側横杆１４とに強固にしてスマートに取り付けられる。また、スクリーン本体１５が上下左右対称に形成されるため、スクリーン装置１０の組立て作業を行う際に、天地及び左右の勝手違いを気にすることなく、スクリーン本体１５の組立て作業を行うことができる。これにより、スクリーン装置１０の組立て性を向上することができる。
【００２５】
そして、上側横杆１３及び下側横杆１４の左端部が左側支柱１１の横杆支持パイプ３３，３４に挿通され、上側横杆１３及び下側横杆１４の右端部が右側支柱１２の横杆支持パイプ３３，３４に挿通された後に、上側横杆１３及び下側横杆１４の両端部に不図示の取付ネジがそれぞれ締結される。これにより、左側支柱１１及び右側支柱１２と上側横杆１３及び下側横杆１４とが一体的に固定される。また、左側支柱１１及び右側支柱１２の横杆支持パイプ３３，３４の外端部には、横杆キャップ３６がそれぞれ取り付けられる。
【００２６】
このようなスクリーン装置１０において、ホワイトボード等の表示ボードを使用する際には、図５に示すように、スクリーン本体１５の表面において、左側支柱１１側の凹面２８の前方で露出している上側横杆１３及び下側横杆１４にフック４１を掛止することにより表示ボード４０が取り付けられる。また、スクリーン本体１５の裏面において、右側支柱１２側の凹面２８の前方で露出している上側横杆１３及び下側横杆１４にフック４１を掛止することにより表示ボード４０が取り付けられる。このため、表示ボード４０の取り付けをスクリーン本体１５の表面及び裏面のいずれの面でも行うことができる。また、カレンダーや掛け時計等の壁掛け品においても、同様にして、凹面２８の前方で露出している上側横杆１３及び下側横杆１４の少なくとも一方を利用して取り付けることができる。  さらに、表示ボード４０のフック４１をスクリーン本体１５と横杆１３，１４との隙間の狭い部分に配置する。これにより、フック４１が横杆１３，１４から外れ難くすることができる。
【００２７】
以上説明したように、本実施形態のスクリーン装置１０によれば、一対の支柱１１，１２と、支柱１１，１２に掛け渡される２個の横杆１３，１４と、緩やかな波形状に湾曲されて凸面２７と凹面２８とを有し、横杆１３，１４に串刺し状にして貫通支持されるスクリーン本体１５と、を備えるため、凸面２７と凹面２８とがスクリーン本体１５のいずれの面にも配置される。これにより、表示ボード４０を取り付けるに際し、スクリーン本体１５の凹面２８に露出している横杆１３，１４に掛止することで、いずれの面においても表示ボード４０の取り付けを行うことができる。また、スクリーン装置１０を片方の面から見た場合に、凸面２７と凹面２８とが緩やかな波形状に湾曲されているために、従来のもののように、凸面と凸面との連続や、凹面と凹面との連続に比較して、安心感を与えるものとなり、意匠面で良好にすることができる。従って、表示ボード４０の使用勝手に優れると共に、意匠面で良好なスクリーン装置１０を提供することができる。
【００２８】
また、本実施形態のスクリーン装置１０によれば、スクリーン本体１５が、支柱１１，１２間での弾性変形に伴い、凸面２７と凹面２８とを有して横杆１３，１４に貫通支持されるため、弾性変形に伴いスクリーン本体１５に蓄積されている弾性復元力によって、スクリーン本体１５を横杆１３，１４に強固に取り付けることができる。これにより、別部品であるブラケットを用いたり、ネジ止め等を用いたりすることなく、スマートに固定することができる。
【００２９】
また、本実施形態のスクリーン装置１０によれば、支柱１１，１２の床面側端部に、キャスター１６を着脱自在に取り付けるため、移動用として用いる場合に、キャスター１６によって簡単に移動を行うことができる。さらに、固定用として用いる場合は、キャスター１６をアジャスターや安定板に取り替えることで、床面に載置することができる。
【図面の簡単な説明】
【００３０】
【図１】本発明に係るスクリーン装置の一実施形態を説明するための正面図である。
【図２】図１に示すスクリーン装置の左側面図である。
【図３】図１に示すスクリーン装置の平面図である。
【図４】図１に示すスクリーン装置の各部品の組付け関係を説明する分解斜視図である。
【図５】表示ボードを取り付けた状態のスクリーン装置の正面図である。
【符号の説明】
【００３１】
１０    スクリーン装置
１１    左側支柱（支柱）
１２    右側支柱（支柱）
１３    上側横杆（横杆）
１４    下側横杆（横杆）
１５    スクリーン本体
１６    キャスター
２７    凸面
２８    凹面
４０    表示ボード
４１    フック
【図１】
2008063904.tif 000003
【図２】
2008063904.tif 000004
【図３】
2008063904.tif 000005
【図４】
2008063904.tif 000006
【図５】
2008063904.tif 000007